【手続補正書】
【提出日】平成28年11月29日(2016.11.29)
【手続補正１】
【補正対象書類名】特許請求の範囲
【補正対象項目名】全文
【補正方法】変更
【補正の内容】
【特許請求の範囲】
【請求項１】
複数の表示画素を有し、入力される第１の画像情報に基づいて光を変調する第１の光変調装置と、
複数の調光要素を有し、調光された光を前記第１の光変調装置へ射出する照明部と、
前記調光要素から射出された光が、前記第１の光変調装置の表示画素を照明する照明範囲を記憶する照明分布記憶部と、
前記照明分布記憶部に記憶された前記照明範囲の表示画素に対応する前記第１の画像情報の特徴量に基づいて、前記照明部の前記調光要素を制御するための調光情報を決定する調光情報決定部と、
前記第１の光変調装置と前記照明部との位置ずれ情報を取得するずれ情報取得部と、
を備え、
前記調光情報決定部は、前記照明部の各調光要素から射出された光が前記第１の光変調装置の表示画素を照明する照明範囲を、前記ずれ情報取得部が取得した前記位置ずれ情報に基づいて修正し、修正された照明範囲の表示画素に対応する前記第１の画像情報の特徴量に基づいて、前記調光情報を決定することを特徴とする画像表示装置。
【請求項２】
請求項１に記載の画像表示装置であって、
前記照明分布記憶部は、前記調光要素から射出された光が、前記第１の光変調装置の表示画素を照明する照明強度の分布情報をさらに記憶し、
前記照明部の前記調光情報と、前記照明強度の分布情報と、前記位置ずれ情報とに基づいて、前記第１の光変調装置の前記表示画素毎に到達する光の照明値を算出する照明値算出部と、
前記照明値算出部によって算出された前記表示画素毎に到達する光の前記照明値と前記第１の画像情報とに基づいて、前記第１の光変調装置に設定するための第２の画像情報を生成する画像情報生成部と、
をさらに備えることを特徴とする画像表示装置。
【請求項３】
請求項２に記載の画像表示装置であって、
前記画像情報生成部において、前記第１の画像情報の画素値を前記照明値で除した値を前記第２の画像情報の画素値とすることを特徴とする画像表示装置。
【請求項４】
請求項１乃至３のいずれか一項に記載の画像表示装置であって、
前記調光情報決定部における前記第１の画像情報の前記特徴量は、前記照明範囲を前記位置ずれ情報に基づいて修正された照明範囲における前記第１の画像情報の画素値の最大値とすることを特徴とする画像表示装置。
【請求項５】
請求項１乃至４のいずれか一項に記載の画像表示装置であって、
前記画像表示装置に対する操作入力を受け付ける操作受付部をさらに有し、
前記操作受付部は、前記位置ずれ情報の入力を受け付け、
前記ずれ情報取得部は、前記操作受付部によって入力された前記位置ずれ情報を取得することを特徴とする画像表示装置。
【請求項６】
請求項１乃至４のいずれか一項に記載の画像表示装置であって、
前記画像表示装置が表示した画像を含む範囲を撮像して撮像画像データを生成する撮像部と、
前記撮像部が撮像した前記撮像画像データに基づいて、前記位置ずれ情報を検出する検出部と、
をさらに有し、
前記ずれ情報取得部は、前記検出部から前記位置ずれ情報を取得することを特徴とする画像表示装置。
【請求項７】
請求項６に記載の画像表示装置であって、
前記検出部は、
前記撮像画像データと表示画像との位置関係を対応付けるキャリブレーション部と、
前記照明部の前記調光要素を順次点灯させて、前記表示画像において各調光要素の重心に対応する位置を特定する重心特定部と、
前記重心特定部によって算出された前記各調光要素の重心に基づき、前記位置ずれ情報を算出する位置ずれ算出部と、
を有することを特徴とする画像表示装置。
【請求項８】
複数の表示画素を有し、入力される第１の画像情報に基づいて光を変調する第１の光変調装置と、複数の調光要素を有し、調光された光を前記第１の光変調装置へ射出する照明部と、前記調光要素から射出された光が、前記第１の光変調装置の表示画素を照明する照明範囲を記憶する照明分布記憶部と、を有する画像表示装置の制御方法であって、
前記照明分布記憶部に記憶された前記照明範囲の表示画素に対応する前記第１の画像情報の特徴量に基づいて、前記照明部の前記調光要素を制御するための調光情報を決定する調光情報決定ステップと、
前記第１の光変調装置と前記照明部との位置ずれ情報を取得するずれ情報取得ステップと、
を備え、
前記調光情報決定ステップは、前記照明部の各調光要素から射出された光が前記第１の光変調装置の表示画素を照明する照明範囲を、前記ずれ情報取得ステップによって取得した前記位置ずれ情報に基づいて修正し、修正された照明範囲の表示画素に対応する前記第１の画像情報の特徴量に基づいて、前記調光情報を決定することを特徴とする画像表示装置の制御方法。
【請求項９】
請求項８に記載の画像表示装置の制御方法であって、
前記照明分布記憶部は、前記調光要素から射出された光が、前記第１の光変調装置の表示画素を照明する照明強度の分布情報をさらに記憶し、
前記照明部の前記調光情報と、前記照明強度の分布情報と、前記位置ずれ情報とに基づいて、前記第１の光変調装置の前記表示画素毎に到達する光の照明値を算出する照明値算出ステップと、
前記照明値算出ステップによって算出された前記表示画素毎に到達する前記照明値と前記第１の画像情報とに基づいて、前記第１の光変調装置に設定するための第２の画像情報を生成する画像情報生成ステップと、
をさらに備えることを特徴とする画像表示装置の制御方法。
【手続補正２】
【補正対象書類名】明細書
【補正対象項目名】０００８
【補正方法】変更
【補正の内容】
【０００８】
［適用例２］上記適用例に係る画像表示装置において、前記照明分布記憶部は、前記調光要素から射出された光が、前記第１の光変調装置の表示画素を照明する照明強度の分布情報をさらに記憶し、前記照明部の前記調光情報と、前記照明強度の分布情報と、前記位置ずれ情報とに基づいて、前記第１の光変調装置の前記表示画素毎に到達する光の照明値を算出する照明値算出部と、前記照明値算出部によって算出された前記表示画素毎に到達する光の前記照明値と前記第１の画像情報とに基づいて、前記第１の光変調装置に設定するための第２の画像情報を生成する画像情報生成部と、をさらに備えることを特徴とする。
【手続補正３】
【補正対象書類名】明細書
【補正対象項目名】００２０
【補正方法】変更
【補正の内容】
【００２０】
［適用例８］本適用例に係る画像表示装置の制御方法は、複数の表示画素を有し、入力される第１の画像情報に基づいて光を変調する第１の光変調装置と、複数の調光要素を有し、調光された光を前記第１の光変調装置へ射出する照明部と、前記調光要素から射出された光が、前記第１の光変調装置の表示画素を照明する照明範囲を記憶する照明分布記憶部と、を有する画像表示装置の制御方法であって、前記照明分布記憶部に記憶された前記照明範囲の表示画素に対応する前記第１の画像情報の特徴量に基づいて、前記照明部の前記調光要素を制御するための調光情報を決定する調光情報決定ステップと、前記第１の光変調装置と前記照明部との位置ずれ情報を取得するずれ情報取得ステップと、を備え、前記調光情報決定ステップは、前記照明部の各調光要素から射出された光が前記第１の光変調装置の表示画素を照明する照明範囲を、前記ずれ情報取得ステップによって取得した前記位置ずれ情報に基づいて修正し、修正された照明範囲の表示画素に対応する前記第１の画像情報の特徴量に基づいて、前記調光情報を決定することを特徴とする。
【手続補正４】
【補正対象書類名】明細書
【補正対象項目名】００２２
【補正方法】変更
【補正の内容】
【００２２】
［適用例９］上記適用例に係る画像表示装置の制御方法において、前記照明分布記憶部は、前記調光要素から射出された光が、前記第１の光変調装置の表示画素を照明する照明強度の分布情報をさらに記憶し、前記照明部の前記調光情報と、前記照明強度の分布情報と、前記位置ずれ情報とに基づいて、前記第１の光変調装置の前記表示画素毎に到達する光の照明値を算出する照明値算出ステップと、前記照明値算出ステップによって算出された前記表示画素毎に到達する前記照明値と前記第１の画像情報とに基づいて、前記第１の光変調装置に設定するための第２の画像情報を生成する画像情報生成ステップと、をさらに備えることを特徴とする。